(57)【要約】【課題】掛止具をロープに通し、掛止具の両端部に帆立貝を掛止する際、海流や生育具合、帆立貝の運動等で影響で掛止具がロープのロープ保持部から動くことを防止し、ロープを挟んで左右対称位置に帆立貝を掛止、保持することを可能とし、掛止具の両端に掛止、保持した帆立貝を、同等の生育条件で養殖可能とした帆立貝養殖用掛止具を提供したい。【解決手段】軸部２の中間部に、先端部３を尖鋭とし、後端部方向に拡開し、＜形であって、軸部の径方向外方に対称的に斜めに突出し、ロープの取付孔内で拡開し、該取付孔の内壁に返しで引っ掛かって軸部をロープに係止する可撓性抜け止め掛止部６を一体に設けた帆立貝養殖用掛止具。【選択図】図１
0003137169.tif 000002
【実用新案登録請求の範囲】
【請求項１】
樹脂製の軸部の先端部に第１の帆立貝掛止部を備え、該軸部の後端部に第２の帆立貝掛止部を備え、ロープの径方向に直交するように設けた取付孔に、該軸部の中間部を貫通保持させ、両端部の第１、第２の帆立貝掛止部で帆立貝を掛止、保持するようにした養殖帆立貝の掛止具において、
前記軸部の中間部に、先端部を尖鋭とし、後端部方向に拡開し、＜形であって、軸部の径方向外方に対称的に斜めに突出し、ロープの取付孔内で拡開し、該取付孔の内壁に返しで引っ掛かって軸部をロープに係止する可撓性抜け止め掛止部を一体に設けた、
ことを特徴とする帆立貝養殖用掛止具。
【請求項２】
前記軸部先端部の第１の帆立貝掛止部は、∠形又は＜形の銛状としたことを特徴とする請求項１記載の帆立貝養殖用掛止具。
【請求項３】
前記軸部後端部の第２の帆立貝掛止部は、軸部後部に設けた大径部としたことを特徴とする請求項１記載の帆立貝養殖用掛止具。
【考案の詳細な説明】
【技術分野】
【０００１】
本考案は、帆立貝の養殖に用いる掛止具に関するものである。
【背景技術】
【０００２】
帆立貝を海中に垂らしたロープに吊り下げて養殖するに際し、帆立貝をロープに係止する掛止具が実用に供されている。
従来、帆立貝養殖用の掛止具が知られている（例えば、特許文献１参照及び特許文献２。）。
【特許文献１】特許第３３７５６１７号公報
【特許文献２】特開平１０−１１３０９０号公報。
【０００３】
図１１及び図１２は、特許文献１の図２３の掛止具の再掲図である。ただし、符号は振り直した。
掛止具１０１は、軸部１０２の先端部１０２ａを尖鋭とし、この軸方向直後に＜形に広がった第１掛止部１０３を備え、軸部後端部に太径の第２掛止部１０４を備え、樹脂で各部一体に成形されている。
ロープ１０５に取付孔１０６を設け、この取付孔１０６に掛止具１０１の軸部１０２を通しながら、ロープの上下に配置した帆立貝（帆立貝の稚貝）１０７，１０７の耳片１０７ａ，１０７ａの取付孔に掛止具を通し、掛止具１０１にロープ１０５を挟んで帆立貝１０７，１０７を掛止する（図１１の（ａ）参照）。図の上下の帆立貝１０７，１０７は、耳片１０７ａ，１０７ａの取付孔よりも第１掛止部１０３、第２掛止部１０４が大径なので、掛止具１０１から帆立貝１０７，１０７は抜け出すことなく、保持される（図１１の（ｂ）参照）。
【０００４】
図１２は、帆立貝の養殖状態を示し、ロープ１０５に、多数の掛止具を所定ピッチで軸方向に対し直交するように貫通、係止し、各掛止具１０１の両端部には帆立貝１０７，１０７を掛止させ、養殖を行うものである。
図１３及び図１４は、特許文献１に係る掛止具の不都合を示す説明図であり、ロープ１０５，１０５は、海中に横に張った母線１０８に吊下金具１０９で吊り下げ、図で理解し得るように、ロープ１０５，１０５には、長さ方向（縦方向。重力方向。）に所定ピッチで掛止具１０１を介して、その両端部に、帆立貝１０７…（…は複数を表す。以下同じ）が掛止されている。
【０００５】
掛止具１０１…の、両端部に掛止した帆立貝１０７，１０７は、掛止具１０１がロープ１０５の取付孔１０６に貫通・保持されているだけなので、海流や生育具合、帆立貝の運動等で、掛止具１０１の軸部はロープの取付孔１０６内で移動する。
この結果、図１３，図１４のように片側に移動したりし、ロープ一側の帆立貝はロープに近接し、他側はロープから離れた状態となり、帆立貝の餌食いの条件がロープ１０５を挟んで異なったりし、生育が略々同等になされないこととなり、養殖帆立貝に大きなバラツキが生じることとなり、均質の帆立貝が得られ難い。
【０００６】
図１５〜図１７は、従来の特許文献２に係る掛止具の図１、図７の再掲図である。
掛止具２０１は、軸部２０２の先端部２０２ａを尖鋭とし、中間部に小径部２０２ｂとし、この前後に太径部２０２ｃ，２０２ｄを備え、先端部の近傍に＜形の第１掛止部２０３を備え、後端部にロープの取付孔よりも十分に大径の第２掛止部２０４を設け、軸部２０２の前部の大径部２０２ｃの後端部には、放射状に拡開する複数の片からなるロープからの抜止片（抜止部）２０２ｅを設け、これらは樹脂で一体に成形されている。
【０００７】
ロープ２０５に取付孔２０６を貫通し、これに掛止具２０１を通し、掛止具２０１は、軸部２０２の一部に拡開する第１掛止部２０３、抜止片２０２ｅが設けられているが、これらが取付孔２０６に侵入する際撓み、ロープ２０５に容易に侵入する。軸部周で、第１掛止部２０３、第２掛止部２０４の軸方向内側には帆立貝２０７，２０７が耳片の設けた取付孔を介して、掛止具上にあって、ロープ２０５の両側に掛止、保持される。
抜止片２０２は、取付孔２０６の片側に当接して、図１６において、左側への掛止具の移動は阻止される。
【０００８】
ところで、掛止具２０１の軸部２０２ａの太径部２０６は、前記した海流、生育具合、帆立貝の運動等で、取付孔２０６内に侵入して移動する虞があり、この結果、図１７のように、図では右側に偏寄する事態が生じる虞があり、図の左側の帆立貝２０７がロープ２０５と第２掛止部２０４との間で保持されるも、右側の帆立貝２０７はロープから離れた位置で保持されることとなり、前記と同様に、帆立貝の餌食いの条件が、ロープ１０５を挟んで異なったりし、生育が略々同等になされないこととなり、養殖帆立貝に大きなバラツキが生じることとなり、均質の帆立貝が得られ難い。
【考案の開示】
【考案が解決しようとする課題】
【０００９】
本考案は、掛止具をロープに通し、掛止具の両端部に帆立貝を掛止する際、海流や生育具合、帆立貝の運動等の影響で、掛止具がロープのロープ保持部から動くことを防止し、ロープを挟んで左右対称位置に帆立貝を掛止、保持することを可能とし、掛止具の両端に掛止、保持した帆立貝を、同等の生育条件で養殖可能とした帆立貝養殖用掛止具を提供することを課題とする。
【課題を解決するための手段】
【００１０】
請求項１に係る考案は、樹脂製の軸部の先端部に第１の帆立貝掛止部を備え、該軸部の後端部に第２の帆立貝掛止部を備え、ロープの径方向に直交するように設けた取付孔に、該軸部の中間部を貫通保持させ、両端部の第１、第２の帆立貝掛止部で帆立貝を掛止、保持するようにした養殖帆立貝の掛止具において、前記軸部の中間部に、先端部を尖鋭とし、後端部方向に拡開し、＜形であって、軸部の径方向外方に対称的に斜めに突出し、ロープの取付孔内で拡開し、該取付孔の内壁に返しで引っ掛かって軸部をロープに係止する可撓性抜け止め掛止部を一体に設けたことを特徴とする。
【００１１】
請求項２に係る考案は、請求項１において、前記軸部先端部の第１の帆立貝掛止部は、∠形又は＜形の銛状としたことを特徴とする。
【００１２】
請求項３に係る考案は、請求項１において、前記軸部後端部の第２の帆立貝掛止部は、軸部後部に設けた大径部としたことを特徴とする。
【考案の効果】
【００１３】
請求項１に係る考案では、軸部の中間部に設けられ、先端部を尖鋭とし、後端部方向に＜形に拡開し、軸部の径方向外方に対称的に斜めに突出する可撓性抜止片が、ロープの取付孔内で拡開し、取付孔の内壁に返しで引っ掛かって掛止具の軸部をロープの取付孔内で係止するので、抜止片は取付孔の内壁に食い込んで保持されることとなり、掛止具は、抜止片でロープと一体結合された状態となり、ロープ両側、つまりは、掛止具両端部に帆立貝を掛止、保持した状態で軸部の移動を防止し、海流や帆立貝の運動等で掛止具がロープ取付孔内で移動することが無く、掛止具の両端部に掛止して養殖する帆立貝の生育条件を同等とすることができる。
【００１４】
また、ロープの取付孔内への抜止片の挿入であるが、抜止片が可撓性を有するので、順方向では抜止片が撓んで容易に取付孔内に侵入し、逆方向へ引っ張る（返し）ことで抜止片は取付孔の内壁に食い込んで係止され、抜止片の取付孔への取り付けが、簡単な作業で確実になされる。
また、掛止具は、軸部の長さ方向中間部に先端部を尖らせた抜止片を＜形に設けるだけなので、構造簡易で、成形が容易に抜け止め効果の高い抜止片を設けることができるとともに、隣接する軸部を平行に配置して掛止具を成形する際、抜止片を掛止具（軸部）相互の連結部材として成形することが可能で、多数本の掛止具を連続して成形する上でも有利である。
【００１５】
請求項２に係る考案では、軸部先端部の第１の帆立貝掛止部は、∠形又は＜形の銛状としたので、請求項１の効果に加えるに、ロープの取付孔の掛止部の挿入が容易で、且つ帆立貝の掛止、保持が確実である。
【００１６】
請求項３に係る考案では、軸部後端部の第２の帆立貝掛止部は、軸部後部に設けた大径部としたので、請求項１の効果に加えるに、大径の掛止部で帆立貝の掛止、保持が確実に行えるとともに、掛止部は軸部の後端部を大径とするだけなので、成形が容易である。
【考案を実施するための最良の形態】
【００１７】
本考案を実施するための最良の形態を添付図に基づいて以下に説明する。なお、図面は符号の向きに見るものとする。
図１は、本考案にかかる掛止具の側面図、図２は、成形状態で帯状をなし、未分離状態の掛止具連続体の側面図、図３は、掛止具単体の斜視図である。
【００１８】
掛止具１は、断面円形の中実状の軸部２と、尖鋭な軸部２の先端部３と、先端部から後方に離間して先部に設けられ、径方向外方に突出し、斜め後方に＜形に突出した先部の第１掛止部４と、後端部の軸部より十分に大径の第２掛止部５とを備える。
第１掛止部４は、＜形に代えて∠形でも良く、要すれば銛状とする。
軸部２は、例えば、外径が略々１．５mm程度で、長さが、例えば略々７０mm程度である。そして、第１掛止部４の突出量は、図の上下を合わせて、例えば７mm程度であり、大径の第２掛止部５の外径は、例えば５mm程度である。
【００１９】
以上の掛止具１の軸部２の長さ方向中間部、つまりは、先部の第１掛止部４と後端部の大径の第２掛止部５の中間部には、径方向外方、且つ後方に突出し、後方に向かって傾斜した抜止片６を＜状に設ける。
抜止片６は、軸部２の径方向外方、且つ後方に傾斜して突出して設けられた対称的な片６ａ，６ｂからなり、各片６ａ，６ｂの先端部は尖鋭であることが好ましい。
【００２０】
図２は、掛止具１…（…は複数を表す。以下同じ）を複数本並置して成形した状態を示し、軸部２…は相互に隣接して平行に配置されており、後端部の大径な第２掛止部５…が連結片７で連結されており、抜止片６は、一方の突出した片６ａが隣接した掛止具１の抜止片６の片６ｂとＵ形に連結片６ｃし、この部分で連結片を構成する。
抜止片６の連結片６ｃと第２掛止部５の連結片７の部分で切り離し、ここの掛止具単体を得る。
得られた掛止具１の単体は、図１及び図３に示す通りである。
【００２１】
図４は、帆立貝を掛止具に掛止し、掛止具をロープに取り付ける作業の一例を示している説明図である。
２１は掛止具の自動挿入装置であり、帯状の掛止具集合体４１を自動挿入装置２１の送り機構２１ａで縦向きに保持したまま所定ピッチ分送り、挿入位置でプッシュロッド２２で矢印のように掛止具１の軸部２の後端部５の端面から突き上げる。
【００２２】
これにより、掛止具１は、掛止具集合体４１の群れから矢印で示すように、１本だけ上方に移動させられ、連結片７，６ｃは、送り機構２１ａの刃部２１ｂで切断され、上昇しつつ切り離される。
上方には帆立貝のセット台２３，２４が配設されており、セット台２３，２４には帆立貝３０Ｌ，３０Ｒの耳片３１，３１が上下に重なるように載置されており、耳片３１，３１間に、ロープ１０が上下の耳片３１，３１で挟み込むようにセットされており、事前に図示しないドリルで、上の耳片３１、ロープ１０、下の耳片３１と取付孔を貫通して設けておく。
【００２３】
爾後、セット台２３，２４間の隙間から掛止具を上昇させ、帆立貝３０Ｌの下側の耳片３１、ロープ１０の取付孔１１、帆立貝３０Ｒの上側の耳片３１と掛止具１を通して、耳片３１，３１の取付孔、ロープ１０の取付孔１１に掛止具１を通す。
掛止具１は、先端部３が尖鋭なので、容易に上下の耳片３１，３１の取付孔、ロープ１０の取付孔１１を通り、先部の第１掛止部４は、掛止具１の進行方向に対して順方向の＜形なので、取付孔１１の通過時には撓み、抵抗少なく撓んで挿入され、進行する。
【００２４】
ところで、抜止片６は、図の帆立貝３０Ｌの下側の耳片３１の取付孔を撓んで通過し、ロープ１０の取付孔１１内に至る。
図５の（ａ）〜（ｃ）は、抜止片のロープ取付孔への侵入及び返しによる係止状態を示す説明図である。
ロープ１０の取付孔１１への侵入初期の状態を（ａ）で示し、軸部２は矢印のように取付孔１１内を侵入する。
ところで、ロープ１０の外径は、例えば７mm程度であり、取付孔１１の内径は１．６mm程度であり、軸部２は取付孔１１内を通過し得る径である。
【００２５】
軸部２の取付孔１１への侵入で、抜止片６の上下の片６ａ，６ｂは可撓性を有するので軸部２周に密着するように変形し、取付孔１１内を進行する（図５の（ｂ）参照）。
抜止片６が取付孔１１内において略々中央部より先に達したところで、掛止具１の軸部２を侵入方向とは逆方向に引張（返し）操作する（図５（ｃ）の矢印方向）。
これにより、図５の（ａ）の矢印で示した進行方向に対し行順方向に撓曲していた抜止片６は、各片６ａ，６ｂの各先端部６ｄ，６ｄが、ロープ１０の取付孔１１の内壁に食い込んで内部組織に侵入し、図５の（ｃ）のように食い付いて係止されることとなる。
【００２６】
図６の（ａ）、（ｂ）は、掛止具１の耳片３１，３１及びロープ１０の取付孔１１への挿入状態を示し、図６の（ａ）に示すように、図４の状態で帆立貝３０Ｌ，３０Ｒの耳片３１，３１、ロープ１０の取付孔１１を掛止具１は通り、抜止片６は、ロープ１０の取付孔１１内に位置する。
この状態で、縦向きの掛止具１の上昇、支持を開放すると、図６（ｂ）の矢印で示すように、下側の帆立貝３０の重力作用による降下で、掛止具１に下方への力が作用し、狭まって取付孔１１内に侵入した抜止片６は広がり、図５（ｃ）のように先端部が広がって取付孔の内壁に食い付き、拡開する。
このように、掛止具１の挿入作業で、自動的に抜止片６を抜け止め係止させることができる。
【００２７】
図７及び図８は、帆立貝の養殖状態を示す説明図で、ロープ１０を海中に垂らし、ロープ１０に直交するように通した掛止具１の両端部に帆立貝３０Ｌ，３０Ｒを掛止して保持させ、養殖を行う。
帆立貝の一方３０Ｒは、第１掛止部４の内側に耳片３１が取付孔を介して支持されており、図の右方向への抜け出しは阻止され、帆立貝の他方３０Ｌは、第２掛止部５の内側に耳片３１が取付孔を介して支持されており、図の左方向への抜け出しは阻止される。
掛止具１は、前記した通り軸部２の中間部に設けた抜止片６がロープ取付孔１１の内周壁に食い込んで係止され、取付孔１１からの抜け出しは阻止される。
【００２８】
実際には、図８に示すように海中に横に母線１２を張り、母線１２に吊下金具１３で吊り下げる。
帆立貝３０…は、海中で捕餌し、成長するが、成長するに従い大きくなり、重くなる。この結果、掛止具１…は両端部が下がるように逆Ｕ形となり、両端部の掛止部４，５で耳片が掛止されているので、掛止具１…から帆立貝は抜け出すことを防止し、また、帆立貝の重量の増加で弓なりに反った掛止具１は、ロープ取付孔１１内で抜止片が更に反った状態となり、ロープ取付孔１１内における食い付き作用が大きくなり、保持性は一層高まり、帆立貝を掛止、保持した掛止具を強固にロープに係止させることとなる。
【００２９】
図９は、本考案に係る掛止具１…を、軸部を平行に配置して多数本、連続して成形した集合体５１の正面図であり、例えば、掛止具１…を多数本板状或いは帯状に成形し、使用者に提供する。
図１０は、本考案に係る掛止具１…の集合体をドラム状に巻き付けて使用者に提供する状態を示す説明図であり、掛止具１…は、連結部７，６ｃ…が容易に撓曲するので、この部分で曲げてドラム６２に巻き付けて掛止具ロール６１としたものである。
掛止具１…の集合体は、上下の鍔板６３，６５間の中央部に設けた筒芯６４周に巻き付けることで掛止具ロール６１を形成し、掛止具ロール６１とすることで、運搬やストック、自動装着機への装着等が容易となる。
【産業上の利用可能性】
【００３０】
本考案の掛止具は、帆立貝の養殖に用いるに好適である。
【図面の簡単な説明】
【００３１】
【図１】本考案にかかる掛止具単体の側面図である。
【図２】成形状態で帯状をなし、未分離状態の掛止具連続体の側面図である。
【図３】掛止具単体の斜視図である。
【図４】帆立貝を掛止具に掛止し、掛止具をロープに取り付ける作業の一例を示している説明図である。
【図５】（ａ）〜（ｃ）は、抜止片のロープ取付孔への侵入及び返しによる係止状態を示す説明図である。
【図６】（ａ）、（ｂ）は、掛止具の耳片、ロープの取付孔の挿入状態及び抜止片による取付孔内周壁への係止、抜け止め状態を示す説明図である。
【図７】帆立貝の養殖状態を示す説明図である。
【図８】帆立貝の養殖状態を示す説明図である。
【図９】本発明に係る掛止具を、軸部を平行に配置して多数本、連続して成形した集合体の正面図である。
【図１０】本考案に係る掛止具の集合体をドラム状に巻き付けて使用者に提供する状態を示す説明図である。
【図１１】特許文献１に係る従来の帆立貝養殖用掛止具を示す図で、（ａ）ロープに帆立貝を掛止させた説明図、（ｂ）は掛止具による帆立貝掛止状態及びロープへの保持状態を示す説明図である。
【図１２】帆立貝養殖状態の拡大説明図である。
【図１３】特許文献１に係る従来の掛止具の不都合を指摘する説明図である。
【図１４】図１１の一部を拡大して示した図である。
【図１５】従来の特許文献２に係る従来の掛止具を示す図で、掛止具の側面図である。
【図１６】ロープに掛止具を通し、帆立貝を掛止した状態を示す説明図である。
【図１７】従来の不都合を指摘する図である。
【符号の説明】
【００３２】
１…掛止具  、２…軸部、  ３…先端部、  ４…第１掛止部、  ５…第２掛止部、  ６…抜止部、  １０…ロープ、  １１…ロープの取付孔。
【図１】
0003137169.tif 000003
【図２】
0003137169.tif 000004
【図３】
0003137169.tif 000005
【図４】
0003137169.tif 000006
【図５】
0003137169.tif 000007
【図６】
0003137169.tif 000008
【図７】
0003137169.tif 000009
【図８】
0003137169.tif 000010
【図９】
0003137169.tif 000011
【図１０】
0003137169.tif 000012
【図１１】
0003137169.tif 000013
【図１２】
0003137169.tif 000014
【図１３】
0003137169.tif 000015
【図１４】
0003137169.tif 000016
【図１５】
0003137169.tif 000017
【図１６】
0003137169.tif 000018
【図１７】
0003137169.tif 000019